(57)【要約】【課題】カートリッジの取り外し操作を、連続的、容易かつ円滑に行なうことができ、カートリッジが落下するのを確実に防止する。【解決手段】、電動ステープラー本体１に設けた取付部１０にステープル用カートリッジ２を押し込み、上記取付部１０に形成されたロック部１１にカートリッジ２に形成した係合部を係合させることにより装着し、上記係合を解除することにより取り外す電動ステープラーにおけるカートリッジ２の着脱装置において、上記カートリッジ２には、着脱時に掴むつまみ１５と、装着時に上記ロック部１１に対して係合する係合部と、この係合部のロック部１１による係合を解除する操作レバー１６とを設け、上記つまみ１５と操作レバー１６とを同時に掴み解除する位置に設けた。【選択図】図３
2005161495.tif 000002
【特許請求の範囲】
【請求項１】
電動ステープラー本体に設けた取付部にステープル用カートリッジを押し込み、上記取付部に形成されたロック部にカートリッジに形成した係合部を係合させることにより装着し、上記係合を解除することにより取り外す電動ステープラーにおけるカートリッジの着脱装置において、
上記カートリッジには、着脱時に掴むつまみと、装着時に上記ロック部に対して係合する係合部と、この係合部のロック部による係合を解除する操作レバーとを設け、上記つまみと操作レバーとを同時に掴み解除する
ことを特徴とする電動ステープラーにおけるカートリッジの着脱装置。
【請求項２】
前記操作レバーの中間部には作動リンクが回動可能に取り付けられ、作動リンクの先端には係合駒を、操作レバーを解放したときにのみ上記ロック部に係合するように回動可能に取り付けた、請求項１記載の電動ステープラーにおけるカートリッジの着脱装置。
【発明の詳細な説明】
【技術分野】
【０００１】
本発明は、電動ステープラーにステープルを装填したカートリッジを着脱させる、電動ステープラーにおけるカートリッジの着脱装置に関するものである。
【背景技術】
【０００２】
一般に、電動ステープラーには、電動ステープラー本体に設けられた取付用空間部に多数のステープルを装填したカートリッジを交換可能に着脱させる構成が採用されている。この構成として、たとえば図６及び図７に示されるように、カートリッジ２５の後面の下部に突部２６を形成し、これを電動ステープラー本体２７の取付用空間部に形成されたロックピン２８に係合させることによりロック状態に装着するものが知られている。ロックピン２８はバネ２９によって付勢されている。この方式では、カートリッジ２５を外す際に、カートリッジ２５を引き出す、ロックピン２８による係合を解除する、という２つの動作を「つまみを上げる」という１つの操作によって行なっていた。そのためにカートリッジ２５を引き出している途中で瞬間的にロックピン２８を乗り越えるピーク荷重が伝わることで、カートリッジ２５のつまみ３０をしっかり掴んでいないと滑ってカートリッジ２５を落とす危険があった。
【０００３】
そのほかにも、操作レバーを係脱操作することによってカートリッジを着脱させる構成の装置も知られている。しかしこの場合は、操作レバーによってロックを解除した後、いったん操作レバーより手を離してからカートリッジに持ち換えて引き出す構成であったから、手間がかかり、装置の取付角度によっては持ち換えがうまくいかずにカートリッジが落下してしまうおそれがある。このため、カートリッジに落下防止の機構を設ける必要があり、その機構によって引出し時の荷重が重くなるという問題がある。
【特許文献１】特開平１０−１８０７１２号公報
【特許文献２】特開平１１−９９５０５号公報
【発明の開示】
【発明が解決しようとする課題】
【０００４】
本発明は上記問題点を解決し、カートリッジの取り外し操作を、連続的、容易かつ円滑に行なうことができ、カートリッジが落下するのを確実に防止することができる電動ステープラーにおけるカートリッジの着脱装置を提供することをその課題とする。
【課題を解決するための手段】
【０００５】
前記課題を解決するため、本発明に係る電動ステープラーにおけるカートリッジの着脱装置は、電動ステープラー本体に設けた取付部にステープル用カートリッジを押し込み、上記取付部に形成されたロック部にカートリッジに形成した係合部を係合させることにより装着し、上記係合を解除することにより取り外す電動ステープラーにおけるカートリッジの着脱装置において、上記カートリッジには、着脱時に掴むつまみと、装着時に上記ロック部に対して係合する係合部と、この係合部のロック部による係合を解除する操作レバーとを設け、上記つまみと操作レバーとを同時に掴み解除することを特徴とする。
【０００６】
なお、前記操作レバーの中間部には作動リンクが回動可能に取り付けられ、作動リンクの先端には係合駒を、操作レバーを解放したときにのみ上記ロック部に係合するように回動可能に取り付けるようにするのが好ましい。
【発明の効果】
【０００７】
請求項１に係る発明によれば、カートリッジの着脱時に掴むつまみと、装着時にロック部に対して係合する係合部と、この係合部のロック部による係合を解除する操作レバーとを設け、上記つまみと操作レバーとを同時に掴み解除するので、取り外し時つまみと操作レバーとを片手で同時に掴んでカートリッジを取り外すことができるので、カートリッジの取り外し操作を、連続的、容易かつ円滑に行なうことができ、カートリッジが落下するのを確実に防止することができる。
【０００８】
請求項２に係る発明によれば、操作レバーの中間部には作動リンクが回動可能に取り付けられ、作動リンクの先端には係合駒を、操作レバーを解放したときにのみ上記ロック部に係合するように回動可能に取り付けたので、操作レバーの操作によって係合駒がロック部に係脱させることができるので、片手操作が非常に容易である。
【発明を実施するための最良の形態】
【０００９】
本発明は前記課題を、カートリッジを着脱させるためのつまみの近傍に、ステープラー本体のロック部と係合する係合部との係合を解除するための操作レバーを配置し、つまみと操作レバーとを片手で同時に掴んでカートリッジを取り外する構成によって実現した。
【実施例】
【００１０】
図１は電動ステープラーの概要図で、この電動ステープラーは、電動ステープラー本体１とステープル用カートリッジ２とから構成されている。
【００１１】
電動ステープラー本体１は電動モータの出力軸３に連動して揺動する駆動リンク４と、上記出力軸３から中間ギア３ａを介して伝達された力によって駆動されるフォーミングプレート５、ドライバプレート６等を備えている。駆動リンク４の先端にはクリンチャ７が設けられている。
【００１２】
カートリッジ２は図２に示されるように、内部に多数の真直状ステープルを収納した収納部８と、この収納部８の下端から排出されたステープルを打ち出す打ち出し部９とを備えている。なお、上記収納部８には、多数の真直状ステープルをシート状に連結したシート状ステープル（図示せず）が積層状態で収納されている。
【００１３】
上記カートリッジ２が電動ステープラー本体１に装着された後、図示しない送り機構によって最下段のシートステープルから順に打ち出し部９側に送り出されるように構成されている。
【００１４】
また、打ち出し部９に送られたステープルは、先頭のものから順に上記電動ステープラー本体１で駆動されたフォーミングプレート５によってコ字状に成形された後、ドライバプレート６によって打ち出されてステープルの脚部が用紙（図示せず）を貫通し、その後駆動リンク４が作動してその先端のクリンチャ７によって貫通したステープル脚部を折り曲げて綴りを終了させる。さらに、駆動リンク４やドライバプレート６は初期位置に復帰し、次の綴り作動が準備される。
【００１５】
次に、電動ステープラー本体１とカートリッジ２には、図３に示されるように、カートリッジ２の着脱装置が設けられている。すなわち、電動ステープラー本体１には、カートリッジ２を着脱するための取付部１０が設けられている。この取付部１０はカートリッジ２が収まる程度の空間として形成されている。取付部１０には、その開口側の下部にロック部１１が設けられている。ロック部１１は、筒状部１２内にロックピン１３をバネ１４によって常時取付部１０の内側に突出するように付勢した構造で、ロックピン１３の突出量は一定に抑えられている。
【００１６】
これに対し、図２及び図３に示されるように、カートリッジ２には、打ち出し部９と反対側につまみ１５が形成され、つまみ１５の下部には操作レバー１６が配置されている。操作レバー１６はつまみ１５と同時に操作できるように、その基部はつまみ１５の基部の直下に設けられ、支軸１７により回動可能になっている。操作レバー１６の中間部の左右には作動リンク１８の一端が軸２３により回動可能に取り付けられ、作動リンク１８の他端には、上記ロック部１１に係脱する係合部として係合駒１９が第１の軸２０により回動可能に取り付けられている。係合駒１９はまた、カートリッジ２の両側壁（図示せず）に設けられた第２の軸２１に回動可能に取り付けられている。そして、係合駒１９は、回動の前後（操作レバー１６を引く前後）に、それぞれカートリッジ２の底面（又は装着時の取付部１０の底面）の延長に対して鈍角と鋭角をなすように形成された傾斜部２２を備え、傾斜部２２の下端は緩やかな円弧状部分２２ａに連続している。
【００１７】
次に、上記電動ステープラー本体１にカートリッジ２を装着するときは、図３のように、片手でつまみ１５とともに操作レバー１６を摘んで作動リンク１８を引き、係合駒１９を第２の軸２１を中心に図の時計方向に回動させる。上記傾斜部２２はカートリッジ２装着時の取付部１０の底面に対して鋭角をなしているから、取付部１０内に楔のように入りこみ、ロック部１１のロックピン１３をバネ１４に抗して押し込む。そして、第２の軸２１がロックピン１３の突出する延長上を越えて係合駒１９の下端が取付部１０の底面に当接したところで、操作レバー１６から手を離して解放すると、図４のように、ロックピン１３が係合駒１９の傾斜部２２を押して図の反時計方向に回動させるので、係合駒１９は傾斜部２２がロックピン１３の突出方向に対して鈍角をなすような角度となる。これにより、係合駒１９の傾斜部２２が引出しに対する抵抗となるようにロックピン１３に係合してロックされ、簡単にカートリッジ２を引き出すことはできなくなるから、装着状態が安定するとともに、打ち出し部９は電動ステープラーのフォーミングプレート５とドライバプレート６に対応する位置に位置決めされる。その後、綴り作業を開始すればよい。
【００１８】
これに対し、装着状態のカートリッジ２を取り外すときは、上述と逆の要領で、初めにつまみ１５とともに操作レバー１６を引く。図３に示されるように、作動リンク１８が引き上げられ、係合駒１９は時計方向に回動するので、係合駒１９の傾斜部２２がロックピン１３を押し込み、カートリッジ２の底面の延長に対して鋭角をなす。この状態でつまみ１５と操作レバー１６とを図の上方向にカートリッジ取付部１０から離すようにカートリッジ２を回動させると、上記傾斜部２２は上記取付部１０の底面に対して鋭角をなしているから、ロックピン１３との係合による抵抗は小さくなり、簡単に上記係合は解除されるので、カートリッジ２を取付部１０から円滑、確実に取り外すことができる。
【００１９】
カートリッジ２の取り外し後は、操作レバー１６はつまみ１５に対して近接した状態でも離反した状態でもよい。係合駒１９を回動させる必要があるのは、ステープラー本体１に装着するときと、装着後と、取り外し時であるが、装着時と取り外し時には、つまみ１５とともに操作レバー１６を引いて回動させ、装着後はロックピン１３のバネ１４の弾発力によって回動する。したがって、係合駒１９を回動させるためのバネ等の手段は不要である。
【図面の簡単な説明】
【００２０】
【図１】本発明に係る電動ステープラーの分解側面図
【図２】カートリッジの斜視図
【図３】カートリッジの装着し又は取り外すときの説明図
【図４】カートリッジが装着された状態の説明図
【図５】従来の電動ステープラーの分解側面図
【図６】従来のカートリッジ着脱装置の説明図
【符号の説明】
【００２１】
１  ステープラー本体    
２  カートリッジ    
１０  取付部
１１  ロック部  
１５  つまみ
１６  操作レバー
１９  係合駒    
【図１】
2005161495.tif 000003
【図２】
2005161495.tif 000004
【図３】
2005161495.tif 000005
【図４】
2005161495.tif 000006
【図５】
2005161495.tif 000007
【図６】
2005161495.tif 000008